(57)【特許請求の範囲】
【請求項１】
真空採血に際し採血針及び真空採血管と組み合わせて用いられる採血管ホルダーであって、
一端が開口されており、他端が端面により閉塞されているが、該端面に採血針が挿通される穴が形成されている筒状本体と、
軸方向に略平行に延びる切り込みを有し、弾性により切り込みの幅が狭まることにより採血針を保持し、切り込みの幅を拡大させることにより採血針の着脱を可能とする円筒状の弾性保持部材とを備え、
前記弾性保持部材は、前記筒状本体の端面外側に配置されており、かつ該弾性保持部材の一部は、筒状本体の端面に対してその位置が固定されていることを特徴とする採血管ホルダー。
【請求項２】
前記円筒状の弾性保持部材の切り込みを挟んで対向している少なくとも一方の側に、切り込みの幅を拡大するためのレバーが形成されている請求項１に記載の採血管ホルダー。
【請求項３】
前記筒状本体の端面近傍に凹部もしくは凸部が形成されており、前記レバーの一部に前記凹部もしくは凸部に係合し得る凸部もしくは凹部が形成されており、採血針を弾性保持部材で保持した際に前記筒状本体の凹部もしくは凸部に対してレバーの凸部もしくは凹部が係合されるように筒状本体の凹部もしくは凸部の位置が定められている請求項２に記載の採血管ホルダー。
【請求項４】
前記筒状本体の端面に、前記弾性保持部材の一部が直接固定されている請求項１〜３のいずれかに記載の採血管ホルダー。
【請求項５】
前記筒状本体の端面との間に所定の空間を有するように該端面に固定された蓋材をさらに備え、該蓋材の前記空間側の内面に、前記弾性保持部材の一部が固定されている請求項１〜３のいずれかに記載の採血管ホルダー。
【請求項６】
真空採血に際し採血針及び真空採血管と組み合わせて用いられる採血管ホルダーであって、
一端が開口されており、他端が端面により閉塞されているが、該端面に採血針が挿通される穴が形成されており、かつ穴の外側において基端側が該端面に固定されており、先端が近接・離間可能とされた複数のリブが形成されている筒状本体と、
前記採血管ホルダーの軸方向に移動可能に前記複数のリブに外挿されており、複数のリブの先端側に移動されることにより複数のリブを近接させる貫通孔を有する着脱操作部材とを備え、
前記複数のリブが常時は、その弾性復元力により離間された状態とされており、該複数のリブの先端が近接されることにより採血針が保持され、離間されることにより採血針の着脱が可能とされていることを特徴とする採血管ホルダー。
【請求項７】
真空採血に際し採血針及び真空採血管と組み合わせて用いられる採血管ホルダーであって、
一端が開口されており、他端が端面により閉塞されているが、該端面に採血針が挿通される穴が形成されている筒状本体と、
前記筒状本体の端面外側に突出形成されており、採血針を保持するための筒部と、
前記筒部に挿入されており、かつ上記端面とは反対側において、互いに近接・離間可能とされた複数のリブが形成されている内筒とを備え、
前記内筒が筒部に相対的に深く挿入されており、複数のリブが互いに近接して採血針を保持する保持位置と、前記内筒が筒部に対して相対的に浅く挿入されており、複数のリブが互いに離間されて採血針の着脱が可能である着脱位置とをとり得るように前記内筒が前記筒部内で軸方向に移動可能とされており、
前記内筒及び筒部の一方に、他方に対して突出するように形成された少なくとも一つの突起をさらに備え、
前記内筒及び筒部の他方に第１，第２の係合凹部が軸方向において異なる位置に形成されており、第１，第２の係合凹部にそれぞれ前記突起が係合された際に、前記保持状態及び着脱状態となるように第１，第２の係合部の位置が定められていることを特徴とする採血管ホルダー。
【請求項８】
前記内筒を前記筒部内において前記端面とは反対方向に付勢するために、前記筒部内に設けられた付勢手段をさらに備えることを特徴とする請求項７に記載の採血管ホルダー。
【請求項９】
前記筒部の内周面に固定されており、かつ前記内筒の外径よりも大きな内径を有し、内側端部から軸方向外側に向かって延びるように深さの異なる前記第１，第２に係合部が形成されているストッパーをさらに備える請求項７または８に記載の採血管ホルダー。
【請求項１０】
真空採血に際し採血針及び真空採血管と組み合わせて用いられる採血管ホルダーであって、
一端が開口されており、他端が端面により閉塞されているが、該端面に採血針が挿通される穴が形成されている筒状本体と、
前記筒状本体の端面外側において一方端が固定された少なくとも２本の弧状もしくはＪ字状バネ部材とを備え、
前記複数のバネ部材の付勢力により該複数のバネ部材の内側面が採血針に弾性接触されて採血針が保持され、前記複数のバネ部材をその付勢力に逆らって移動させることにより複数のバネ部材内側面間の距離を大きくすることにより採血針が着脱自在とされていることを特徴とする採血管ホルダー。
【請求項１１】
真空採血に際し採血針及び真空採血管と組み合わせて用いられる採血管ホルダーであって、
一端が開口されており、他端が端面により閉塞されているが、該端面に採血針が挿通される穴が形成されている筒状本体と、
前記筒状本体の端面外側において該端面に一体に形成されており、採血針を保持するための複数の保持部材とを備え、
前記複数の保持部材は、端面から端面外側に向かって延びる基端部と、基端部の先端から真空採血針に向かって延び、常時はその付勢力により採血針を保持し得るように構成された弾性爪とを有し、
前記弾性爪を採血管ホルダーの軸方向に沿って前記端面側へ移動させ得るように採血管ホルダーに対して軸方向に移動可能に設けられた着脱操作部材をさらに備え、
前記着脱操作部材を軸方向に移動させて前記複数の弾性爪を端面側にその付勢力に逆らって移動させることにより採血針を着脱可能な状態とすることが可能とされていることを特徴とする採血管ホルダー。
【請求項１２】
真空採血に際し採血針及び真空採血管と組み合わせて用いられる採血管ホルダーであって、
一端が開口されており、他端が端面により閉塞されているが、該端面に採血針が挿通される穴が形成されている筒状本体と、
前記端面の外側に固定されており、かつ常時は、その付勢力により採血針を弾力挟持し得る複数の弾力挟持部を有する弾性保持部材と、
前記弾性保持部材の複数の弾力挟持部をその付勢力に逆らって該弾力挟持部間の間隔を広げるように弾性保持部材に組み合わされた着脱操作部材とをさらに備えることを特徴とする採血管ホルダー。
【発明の詳細な説明】
【０００１】
【発明の属する技術分野】
本発明は、真空採血に際し用いられる採血管ホルダーに関し、より詳細には、採血針の脱着を容易に行うことを可能とする採血管ホルダーに関する。
【０００２】
【従来の技術】
真空採血管はその内部が減圧にされており、血管の圧力と真空採血管内の圧力との差を利用して採血が行われる。採血に際しては、一端に血管挿入用刃先が、他端に真空採血管の栓体を刺通する栓体刺通用刃先が設けられた採血針を、該栓体刺通用刃先側を採血管ホルダー内に挿入するようにして採血管ホルダーに採血針を取り付ける。次に、血管挿入用刃先を血管に挿入する。しかる後、採血管ホルダーに真空採血管を挿入し、採血針の栓体刺通用刃先により真空採血管の栓体を貫通し、採血を行う。採血が終了すると、真空採血管を採血管ホルダーから取り外し、しかる後、採血管ホルダーから採血針を取り外す。
【０００３】
採血後の真空採血管は血液検査に供されるが、採血管ホルダーは繰り返し使用される。また、採血に使用された採血針は血液に接触しているので、衛生上及び感染防止のため捨て去られている。
【０００４】
ところで、従来の真空採血システムでは、採血針には採血管ホルダーに取り付けるためのハブが設けられており、該ハブの外周面に雄ねじが形成されており、採血管ホルダーの採血針が挿入される部分の貫通孔に上記雄ねじとかみ合う雌ねじが形成されていた。すなわち、採血針は、上記雄ねじを採血管ホルダーの雌ねじにねじ込むことにより固定されていた。従って、採血針の採血管ホルダーへの固定に際しては、上記ねじ込み作業が必要であり、作業が煩雑であった。特に、団体の健康診断などのように、短時間に多くの被採血者から採血を行う必要がある場合には、より簡便に採血針を採血管ホルダーに取り付ける構造が望まれていた。
【０００５】
また、ねじ込み式の採血針の場合、採血針を採血管ホルダーにねじ込み、完全に固定した時点において、採血針の血管挿入用刃先の向きが固定されることになる。他方、血管挿入用刃先を血管に挿入する場合、最適な状態で血管挿入用刃先を血管に刺通させるには、血管挿入用刃先の向きを修正したい場合があり、そのような場合には、採血針が固定されている採血管ホルダー全体を回転させる必要があった。
【０００６】
ところが、採血管ホルダー外周には、通常リブなどの突起が設けられており、このリブ等が体表面に衝突したりし、刃先を所望の向きに設定することができないことがあった。
【０００７】
加えて、採血後には、通常、血液感染を防止するために針先にキャップを装着した後、採血管ホルダーから採血針を取り外すが、キャップ装着時に誤って採血針が指に突き刺さるおそれがあった。使用後の採血針は血液に接触しているため、採血針が指に突き刺さると、検査従事者がウイルス等に感染するおそれがあり、従って、このような事故を防止することが強く求められている。
【０００８】
もっとも、使用済採血針を採血管ホルダーと共に廃棄すれば上記のような問題は生じないが、コストが高くつき、医療費の高騰を招くことになる。また、医療廃棄物の量が増加し、処理設備や投棄場所等の廃棄物処理の問題を招くことになる。
【０００９】
上述した種々の問題に鑑み、特開平５−３０５０６８号公報には、採血後に採血管ホルダーから採血針を容易に抜去することが可能な採血器具が開示されている。ここでは、採血管ホルダーの先端に切り込みが形成され、半割れ状とされている。すなわち、採血針のハブの雄ねじにかみ合う雌ねじを含むホルダー部分に切り込みが形成されており、切り込みを介して一対の半割れ部分が構成されている。上記先行技術では、採血針は、ハブの雄ねじを上記雌ねじにねじ込むことにより採血管ホルダーに固定される。また、上記一対の半割れ部分は、常態ではその弾性により相互に接触する方向に付勢されており、従って、採血針のハブの雄ねじを採血管ホルダーの雌ねじにねじ込んだ状態では、上記付勢力により採血針が確実に固定される。
【００１０】
他方、採血針を廃棄する際には、ホルダー本体に設けられた操作部材により一対の半割れ部分を相互に離反する方向に移動させ、それによって雌ねじ部の採血針のハブの雄ねじとのかみ合わせを解く。従って、採血針側を下方に向けるだけで、採血針に手を触れることなく採血管ホルダーから採血針を抜去することができる。
【００１１】
しかしながら、特開平５−３０５０６８号公報に記載の採血器具においても、採血針を採血管ホルダーに装着する際には、やはり採血針のハブの雄ねじを採血管ホルダーの雌ねじにねじ込まねばならず、採血針の装着作業が煩雑であった。また、採血針を採血管ホルダーにねじ込むものであるため、採血針の血管挿入用刃先の向きを自由に設定することができなかった。
【００１２】
他方、特開平８−１２６６３０号公報には、採血管ホルダーに、弾性部を有する一対のハブ挟圧部材を設け、採血針のハブを該一対のハブ挟圧部材により弾力挟持する構成を備えた採血器具が開示されている。ここでは、採血針のハブが上記のように一対のハブ挟圧部材により弾力挟持されて固定されているため、採血針の血管挿入用刃先の刃面を所望の向きに容易に調整することができる。
【００１３】
しかしながら、ハブ挟圧部材は、実際には、この先行技術の図２に示されているように、弾性部、ハブ挿通部、段部、支持凹部及び押圧部を有する非常に複雑な形状に構成されており、部品コストが高くつくだけでなく、部分的な破損が生じやすい構造であった。
【００１４】
また、特開昭６２−１４８６４６号公報に開示されている採血管ホルダーでは、採血針のハブ外周面に環状溝が形成されており、該環状溝が、採血管ホルダーと係合させるための係合凹部を構成している。他方、採血管ホルダー側には、圧縮バネに逆らって指で押圧することにより上記係合凹部と係合しない状態とされ、指を離すことにより圧縮バネの付勢力により上記係合凹部に係合する開口壁を有する小径開口部が備えられた係合具が取付けられている。
【００１５】
ここでは、上記係合具を押圧した状態で、採血針を採血管ホルダーに挿入し、押圧を解除することにより係合具の小径開口部の開口壁が採血針の上記係合凹部に係合し、採血針が採血管ホルダーに取り付けられる。この状態では、係合具の小径開口部の開口壁がバネの付勢力により採血針の係合凹部に圧接されているだけであるため、採血針を自由に回転させることができ、真空採血に際し、採血針の血管挿入用刃先の向きを自由に調整し得るとされている。また、採血針を採血管ホルダーから取り外すに際しては、上記係合具を指で押圧し、係合を解除することにより、採血針を採血管ホルダーから容易に抜去し得るとされている。
【００１６】
しかしながら、特開昭６２−１４８６４６号公報に開示されている方法では、採血針に、上記環状溝よりなる係合凹部を形成しなければならず、従って、市販されている通常の採血針をそのまま用いることはできず、採血管ホルダーに応じて上述した特殊な採血針を用意しなければならなかった。
【００１７】
【発明が解決しようとする課題】
本発明の目的は、一般に使用されている採血針を容易に着脱することができ、採血針の取り外しに際して採血針に手を触れることなく採血針のみを取り外すことができ、かつ取付けられている状態において採血針の刃面を任意の方向に調整することが可能な採血管ホルダーを提供することにある。
【００１８】
【課題を解決するための手段】
請求項１に記載の発明は、真空採血に際し採血針及び真空採血管と組み合わせて用いられる採血管ホルダーであって、一端が開口されており、他端が端面により閉塞されているが、該端面に採血針が挿通される穴が形成されている筒状本体と、軸方向に略平行に延びる切り込みを有し、弾性により切り込みの幅が狭まることにより採血針を保持し、切り込みの幅を拡大させることにより採血針の着脱を可能とする円筒状の弾性保持部材とを備え、前記弾性保持部材は、前記筒状本体の端面外側に配置されており、かつ該弾性保持部材の一部は、筒状本体の端面に対してその位置が固定されていることを特徴とする。
【００１９】
また、請求項１に記載の発明に係る採血管ホルダーでは、好ましくは、請求項２に記載のように、前記円筒状の弾性保持部材の切り込みを挟んで対向している少なくとも一方の側に、切り込みの幅を拡大するためのレバーが形成されている。
【００２０】
また、請求項１に記載の発明に係る採血管ホルダーでは、好ましくは、請求項３に記載のように、前記筒状本体の端面近傍に凹部もしくは凸部が形成されており、前記レバーの一部に前記凹部もしくは凸部に係合し得る凸部もしくは凹部が形成されており、採血針を弾性保持部材を保持した際に前記筒状本体の凹部もしくは凸部にレバーの凸部もしくは凹部が係合されるように筒状本体の凹部もしくは凸部の位置が定められている。
【００２１】
請求項１〜３に記載の採血管ホルダーでは、請求項４に記載のように、弾性保持部材の一部は、筒状本体の端面に直接固定されていてもよく、請求項５に記載のように、筒状本体の端面に該端面との間に所定の空間を有するように固定された蓋材をさらに設け、該蓋材の前記空間側の内面に弾性保持部材の一部を固定した構造としてもよい。
【００２２】
すなわち、弾性保持部材の一部を、筒状本体の端面に対してその位置を固定するように弾性保持部材を筒状本体の端面外側に配置する構造については、請求項４または５に記載のように適宜変形することができる。
【００２３】
また、請求項６に記載の発明は、真空採血に際し採血針及び真空採血管と組み合わせて用いられる採血管ホルダーであって、一端が開口されており、他端が端面により閉塞されているが、該端面に採血針が挿通される穴が形成されており、かつ穴の外側において基端側が該端面に固定されており、先端が近接・離間可能とされた複数のリブが形成されている筒状本体と、前記採血管ホルダーの軸方向に移動可能に前記複数のリブに外挿されており、複数のリブの先端側に移動されることにより複数のリブを近接させる貫通孔を有する着脱操作部材とを備え、前記複数のリブが常時は、その弾性復元力により離間された状態とされており、該複数のリブの先端が近接されることにより採血針が保持され、離間されることにより採血針の着脱が可能とされていることを特徴とする。
【００２４】
請求項７に記載の発明は、真空採血に際し採血針及び真空採血管と組み合わせて用いられる採血管ホルダーであって、一端が開口されており、他端が端面により閉塞されているが、該端面に採血針が挿通される穴が形成されている筒状本体と、前記筒状本体の端面外側に突出形成されており、採血針を保持するための筒部と、前記筒部に挿入されており、かつ上記端面とは反対側において、互いに近接・離間可能とされた複数のリブが形成されている内筒とを備え、前記内筒が筒部に相対的に深く挿入されており、複数のリブが互いに近接して採血針を保持する保持位置と、前記内筒が筒部に対して相対的に浅く挿入されており、複数のリブが互いに離間されて採血針の着脱が可能である着脱位置とをとり得るように前記内筒が前記筒部内で軸方向に移動可能とされており、前記内筒及び筒部の一方に、他方に対して突出するように形成された少なくとも一つの突起をさらに備え、前記内筒及び筒部の他方に第１，第２の係合凹部が軸方向において異なる位置に形成されており、第１，第２の係合凹部にそれぞれ前記突起が係合された際に、前記保持状態及び着脱状態となるように第１，第２の係合部の位置が定められていることを特徴とする。
【００２５】
好ましくは、請求項７に記載の発明に係る採血管ホルダーでは、上記内筒を筒部内において上記端面とは反対方向に付勢するために、筒部内に付勢手段がさらに設けられる。
【００２６】
また、好ましくは、請求項７に記載の発明に係る採血管ホルダーでは、請求項９に記載のように、筒部の内周面に固定されており、かつ上記内筒の外径よりも大きな内径を有し、内側端部から軸方向外側に向かって延びるように深さが異なる第１，第２の結合凹部が形成されているストッパーがさらに備えられる。
【００２７】
請求項１０に記載の発明は、真空採血に際し採血針及び真空採血管と組み合わせて用いられる採血管ホルダーであって、一端が開口されており、他端が端面により閉塞されているが、該端面に採血針が挿通される穴が形成されている筒状本体と、前記筒状本体の端面外側において一方端が固定された少なくとも２本の弧状もしくはＪ字状バネ部材とを備え、前記複数のバネ部材の付勢力により該複数のバネ部材の内側面が採血針に弾性接触されて採血針が保持され、前記複数のバネ部材をその付勢力に逆らって移動させることにより複数のバネ部材内側面間の距離を大きくすることにより採血針が着脱自在とされていることを特徴とする。
【００２８】
請求項１１に記載の発明は、真空採血に際し採血針及び真空採血管と組み合わせて用いられる採血管ホルダーであって、一端が開口されており、他端が端面により閉塞されているが、該端面に採血針が挿通される穴が形成されている筒状本体と、前記筒状本体の端面外側において該端面に一体に形成されており、採血針を保持するための複数の保持部材とを備え、前記複数の保持部材は、端面から端面外側に向かって延びる基端部と、基端部の先端から真空採血針に向かって延び、常時はその付勢力により採血針を保持し得るように構成された弾性爪とを有し、前記弾性爪を採血管ホルダーの軸方向に沿って前記端面側へ移動させ得るように採血管ホルダーに対して軸方向に移動可能に設けられた着脱操作部材をさらに備え、前記着脱操作部材を軸方向に移動させて前記複数の弾性爪を端面側にその付勢力に逆らって移動させることにより採血針を着脱可能な状態とすることが可能とされていることを特徴とする。
【００２９】
請求項１２に記載の発明は、真空採血に際し採血針及び真空採血管と組み合わせて用いられる採血管ホルダーであって、一端が開口されており、他端が端面により閉塞されているが、該端面に採血針が挿通される穴が形成されている筒状本体と、前記端面の外側に固定されており、かつ常時は、その付勢力により採血針を弾力挟持し得る複数の弾力挟持部を有する弾性保持部材と、前記弾性保持部材の複数の弾力挟持部をその付勢力に逆らって該弾力挟持部間の間隔を広げるように弾性保持部材に組み合わされた着脱操作部材とをさらに備えることを特徴とする。
【００３０】
【発明の実施の形態】
以下、図面を参照しつつ本発明の採血管ホルダーの構造を具体的に説明する。図１は、本発明の採血管ホルダーの第１の構造例を説明するための外観斜視図であり、図２はその模式的平面図である。
【００３１】
採血管ホルダー１は、筒状本体２と、筒状本体２の端面２ａの外側に配置された弾性保持部材３とを有する。
筒状本体２は、例えば合成樹脂もしくはステンレスなどの金属により構成され得る。筒状本体２は、全体が略円筒状の形状を有し、先端に径が若干小さくなった小径部２ｂを有し、小径部２ｂの先端が端面２ａで閉塞されている。もっとも、図３（ａ）及び（ｂ）に示すように、端面２ａの中央には、孔２ｃが形成されている。
【００３２】
また、筒状本体２の他方端部には、フランジ部２ｄが形成されている。フランジ部２ｄは、採血管ホルダー１を図１に示すように立設した場合に、机上などに安定に配置することを可能とするため、並びに採血管ホルダー１に真空採血管を挿入する際の作業を容易とするために設けられている。もっとも、フランジ部２ｄは、必ずしも設けられずともよく、かつフランジ部２ｄの平面形状についても、図示のものに限定されるものではない。
【００３３】
また、筒状本体２の内径は、使用する真空採血管が挿入され得る限り、適宜の径とされ得る。通常は、真空採血管の外径よりも若干大きな径を有するように構成される。
【００３４】
筒状本体２の端面２ａの外側には、弾性保持部材３が配置されている。弾性保持部材３は、図４に斜視図で示すように、軸方向に略平行に延びる切り込み３ａを有する円筒状部材で構成されている。弾性保持部材３では、切り込み３ａが形成されているため、切り込み３ａの幅を押し広げた場合には、弾性により切り込み３ａの幅が元の幅となるように変形しようとする。後述するように、弾性保持部材３は、上記弾性による復元力を利用して真空採血針のハブを保持させるために設けられている。
【００３５】
従って、弾性保持部材３を構成する材料としては、上記弾性保持力を発揮し得る限り、特に限定されず、金属により構成されていてもよく、合成樹脂により構成されていてもよい。
【００３６】
もっとも、最終的な焼却または廃棄を考慮した場合、弾性保持部材３は合成樹脂からなることが好ましく、特に、ポリアセタールやナイロンのような靱性の大きな樹脂や、架橋ゴムもしくは熱可塑性エラストマーのような弾性体を用いることが好ましい。上記弾性体を用いる場合には、ＪＩＳ  Ａの硬度が６０程度のものが採血針を確実に保持し得るため好ましいが、前者の靱性の大きな樹脂に弾性体を被覆して用いることもでき、この場合には、弾性体の硬度は特に限定されるものではない。
【００３７】
また、上記弾性保持部材３は、図示しない接着剤を用いて、その下面３ｂの一部が筒状本体２の端面２ａに固定されている。図２に、この接着剤による固定部分を、矢印Ａで示す。なお、図２においては、弾性保持部材３が平面視されているが、矢印Ａで示すハッチング領域は、弾性保持部材３の下面３ｂと端面２ａとを接着している領域を示すものとする。
【００３８】
すなわち、弾性保持部材３は、上記矢印Ａで示した領域、すなわち下面３ｂの一部においてのみ端面２ａに固定されている。これは、弾性保持部材３の下面３ｂの全領域で端面２ａに固定されると、弾性保持部材３の内径を拡大するように切り込み３ａの幅を拡げることができないからである。
【００３９】
従って、弾性保持部材３を端面２ａに接着する領域は、上記弾性保持部材３を拡径し、さらに弾性復元力により真空採血針のハブを弾力挟持し得る限り、特に限定されるものではなく、図２に矢印Ａで示した領域に限らず、下面３ｂの他の部分であってもよい。
【００４０】
また、上記固定部分は、弾性保持部材３を拡径あるいは縮径した場合の応力が加わる部分であるため、その面積は、このような操作に際して破損しない程度の大きさとされる。
【００４１】
この固定部分の面積については、弾性保持部材３の材質及び厚みによっても異なるが、上記拡径及び縮径作業を行うことを可能とする上では、中心角で４５度以下の領域とすることが望ましい。また、弾性保持部材３の厚みについても、材質によっても異なるが、０．７〜３．０ｍｍ程度とすることが好ましく、より好ましくは１．０〜１．５ｍｍとすることが望ましい。肉厚が０．７ｍｍ未満では、真空採血針のハブを確実に弾力挟持することが困難となることがあり、３．０ｍｍを超えると、拡径作業が困難となることがある。
【００４２】
また、弾性保持部材３の内径は、採血針のハブのうち弾性保持部材で保持されるべき部分の外径よりも小さくされている。
なお、弾性保持部材３の軸方向長さは、好ましくは、後述のように、採血針のハブの第１，第２のフランジ部内の長さに等しくされる。
【００４３】
また、図１に示した採血管ホルダー１では、筒状本体２に、別部材として用意された弾性保持部材３が接着剤により固定されていたが、筒状本体２及び弾性保持部材３は合成樹脂等により一体的に構成してもよい。
【００４４】
上記弾性保持部材３を用いて真空採血針を採血管ホルダー１に固定する工程を、図５を参照して説明する。
図５では、理解と容易とするために、筒状本体２については図示を省略してあるが、図５（ａ）〜（ｃ）における弾性保持部材３は、図１に示したように筒状本体２に固定されている。
【００４５】
まず、図５（ａ）に示すように、弾性保持部材３の上面３ｃ側から真空採血針５の弾性鞘体６を挿入する。
この真空採血針５は、従来より一般的に用いられている採血針であり、針管７をハブ８に挿通し、固定した構造を有する。針管７は、一端側に血管挿入用刃先７ａを有し、他端側に真空採血管の栓体を刺通するための刃先が形成されている。この栓体刺通側の刃先及びそれに連なる部分が、上記弾性鞘体６により被覆されている。
【００４６】
また、ハブ８は、弾性鞘体６よりも径の大きな第１のフランジ部８ａと、第１のフランジ部８ａと所定距離を隔てて刃先７ａ側に配置された相対的に大きな径の第２のフランジ部８ｂとを有する。
【００４７】
次に、真空採血針５を採血管ホルダー内に押し込んでいくと、第１のフランジ部８ａが弾性保持部材３の上面３ｃに当接する。この場合、第１のフランジ部８ａの外径に比べて、弾性保持部材の内径が小さいため、そのままではハブ８を弾性保持部材８に挿入することができない。そこで、上記弾性保持部材３の切り込み３ａの幅を拡げるように拡径操作を行う。この拡径操作は、弾性保持部材３の弾性に逆らって、切り込み３ａの幅を拡げることにより行うことができ、それによって図５（ｂ）に示すようにハブ８の第１のフランジ部８ａが弾性保持部材３内に挿入される。
【００４８】
真空採血針５をさらに弾性保持部材３に挿入していくことにより、第１のフランジ部８ａが弾性保持部材３を通過する。第１，第２のフランジ部８ａ，８ｂ間の筒状部８ｃは、第１のフランジ部８ａよりも小さな径を有し、但し、弾性保持部材３の初期状態における内径よりも大きくされている。
【００４９】
従って、真空採血針５をさらに弾性保持部材３に挿入すると、第１のフランジ部８ａが弾性保持部材３の下方に位置し、弾性保持部材３の内周面が筒状部８ｃに接触される。この場合、筒状部８ｃの外径が弾性保持部材３の内径よりも大きいため、弾性保持部材３の上述した弾性復元力により筒状部８ｃの外周面に圧接されることになる。このようにして、真空採血針５が弾性保持部材３により弾力保持される。
【００５０】
好ましくは、上記のように筒状部８ｃよりも径の大きな第２のフランジ部８ｂを設けることにより、真空採血針５の軸方向への移動、特に弾性保持部材３側への移動を規制することができる。また、より好ましくは、弾性保持部材３の軸方向長さを、第１，第２のフランジ部８ａ，８ｂ間の距離、すなわち筒状部８ｃの軸方向の長さと等しくすることにより、真空採血針５の軸方向の移動をより一層確実に規制することができ、真空採血針５を確実に保持・固定することができる。
【００５１】
図１に示した採血管ホルダー１では、真空採血針が上記弾性保持部材３の弾性復元力を用いて弾力保持されるため、真空採血針を採血管ホルダー１に固定した状態において、その軸方向のまわりに回転させることができる。従って、真空採血針の血管挿入用刃先の向きを、採血者の血管の位置や状態に応じて最適な方向とすることができる。
【００５２】
しかも、所望の向きとなるように真空採血針５の向きを調整した後には、真空採血針のハブ８が弾性保持部材３の弾性復元力により強固に弾力保持されるため、刃先の向きを調整するために真空採血針を回転させた後には、刃先の向きは移動し難い。
【００５３】
図６は、本発明に係る採血管ホルダーの他の構造例を示す斜視図であり、図７はその要部を拡大して示す下方から見た斜視図である。
採血管ホルダー１１は、弾性保持部材３の固定構造が異なることを除いては、採血管ホルダー１と同様に構成されている。すなわち、筒状本体２の端面２ａ上に、円板状天板部１２ａと、天板部１２ａの下面の一部から下方に延びる脚部１２ｂ，１２ｂを有するキャップ１２が図示しない接着剤を用いて固定されている。弾性保持部材３は、このキャップ１２の天板部１２ａの下面に固定されている。弾性保持部材３自体は、図４に示した弾性保持部材３と同様に構成されている。また、弾性保持部材３の上面３ｃは、図７に矢印Ｂで示す位置において、接着剤を用いて天板部１２ａの下面に接着・固定されている。すなわち、弾性保持部材３の上面３ｃが部分的に天板部１２ａの下面に固定されている。この接着固定部分の面積は、図２に矢印Ａで示した接着固定領域と同様とされている。
【００５４】
従って、採血管ホルダー１１においても、弾性保持部材３は、切り込み３ａを拡げるように拡径することができ、かつ拡径後に弾性復元力を利用して縮径させることができる。
【００５５】
キャップ１２は、上記のように筒状本体２の端面２ａに代わり、弾性保持部材３を固定するために設けられている。もっとも、キャップ１２は、脚部１２ｂ，１２ｂにより端面２ａの上面に接着固定されているため、結果として、弾性保持部材３は、端面２ａに対してその位置が固定されていることになる。
キャップ１２は、上記のように弾性保持部材３を固定する部分として作用するものであるため、合成樹脂や金属等の適宜の材料により構成することができる。
【００５６】
キャップ１２の天板部１２ａには、図８（ａ）及び（ｂ）に示すように貫通孔１２ｃが形成されている。貫通孔１２ｃは、真空採血針を挿入するために設けられているが、真空採血針のハブ８（図５参照）の第２のフランジ部８ｂと等しい径の凹部１２ｄの中央に形成されている。また、貫通孔１２ｃの径については、第１のフランジ部８ａの外径よりも大きく、第２のフランジ部８ｂの径よりも小さくされている。従って、キャップ１２に真空採血針５を挿入した場合、図９に示すように、第２のフランジ部８ｂが凹部１２ｄに嵌まり合うため、弾性保持部材３を用いてハブ８を弾力保持し、固定した場合、真空採血針５のキャップ１２の上面におけるがたつきを抑制することができる。
【００５７】
上記採血管ホルダー１，１１においては、真空採血針を着脱する際は、弾性保持部材３を拡径する操作が必要である。この拡径操作については、切り込み３ａに切り込み３ａの初期状態の幅よりも大きな治具を挿入する方法など任意の方法で行うことができる。なお、取り付ける際には、採血針のフランジ８ａと弾性保持部材にテーパーを設けることにより、採血針のハブ８を弾性保持部材３に強く押し込むだけで取り付け可能とできる。
【００５８】
例えば、図１０（ａ），（ｂ）に示すように、弾性保持部材３の切り込み３ａに、切り込み３ａの初期状態の幅よりも狭い先端部分を有する楔２１を挿入する方法、あるいは図１１（ａ），（ｂ）に模式的平面図で示すように弾性保持部材３自体に、切り込み３ａを挟んで対向している部分の一方側に拡径操作を容易とするためのレバー１４を設ける方法などが挙げられる。
【００５９】
レバー１４については、図１１に示すように、弾性保持部材３の切り込み３ａを挟んで対向している一方部分において、弾性保持部材３の径方向外側に延びるように、指で把持し易い長さの部材を形成することにより構成することができる。また、場合によっては、切り込み３ａを挟んで対向している両側の部分にレバー１４を設けてもよい。レバー１４については、弾性保持部材３と合成樹脂とを用いて一体に構成してもよく、あるいは弾性保持部材３に別部材からなるレバー１４を接着剤等を用いて固定してもよい。
【００６０】
もっとも、上記拡径操作に際して、筒状本体を手により強固に保持しようとし、筒状本体を強く握ると、図１２に矢印で示すような外力が働くことになる。従って、図１２に矢印で示す方向と異なる方向で採血針の着脱を行うことが好ましい。また、より好ましくは、図１１に矢印の方向で示す方向に力を加える方法が望ましい。
【００６１】
また、上記レバー１４を弾性保持部材３に設けた構造においては、好ましくは、図１３に示すように、レバー１４の下面に下方突出部１４ａを設け、該下方突出部１４ａの弾性保持部材３の軸方向中心側に向かって突出した係合突起１４ｂを設け、他方筒状本体２側に係合突起１４ｂと係合する凹部２ｅを形成してもよい。係合凹部２ｅの周方向位置を、係合突起１４ｂが係合凹部２ｅに係合した際に、採血針を強固に保持し得るように設定することにより、真空採血針を弾性保持部材３により強固に固定することができる。
【００６２】
すなわち、採血管ホルダー１では、真空採血針５は上記弾性保持部材３の弾性復元力によってのみ弾力挟持されているため、弾性保持部材３の肉厚が薄い場合などのように、場合によっては真空採血針が弾性保持部材３により強固に固定され得ないことがある。このような場合には、上記係合突起１４ｂ及び凹部２ｅを設けることにより、真空採血針５を弾性保持部材３を用いて強固に固定することができ、採血針のぐらつきを防止することができる。
【００６３】
また、より好ましくは、第２の構造例に係る採血管ホルダー１１において、上記レバー１４及び係合構造を採用すれば、キャップ１２の凹部１２ｄの作用と、上記係合構造の作用とにより、真空採血針のぐらつきをより一層効果的に防止することができる。
【００６４】
また、弾性保持部材３にレバーを設ける場合の形状についても特に限定されず、図１４（ａ），（ｂ）に示すように、弾性保持部材３の切り込み３ａを挟んで対向する一方部分にレバー１４を、他方部分にレバー１５を形成したものであってもよい。この場合、レバー１４は、弾性保持部材３の軸方向に延びる基部１４ｃと、基部１４ｃの先端で上下方向に延びる把持部１４ｅとを有する。このように、弾性保持部材３に比べて大きな把持部１４ｅを設けることにより、指による拡径操作を容易に行うことができる。
【００６５】
また、本発明に係る採血管ホルダーにおいて、上記弾性保持部材３の内周面は、必ずしも平滑に構成されている必要はなく、例えば図１５に示すように、弾性保持部材３の内周面に、凹凸３ｄを形成してもよい。このように凹凸３ｄを形成することにより、採血針の軸まわりの回転方向を規制することができる。
【００６６】
（請求項６に記載の発明に係る採血管ホルダーの構造例）
図１６（ａ）及び（ｂ）は、請求項６に記載の発明に係る採血管ホルダーの構造例を説明するための各斜視図である。採血管ホルダー２１では、下端が開口されており、上端が端面２２ａにより閉塞されているが、端面２２ａに採血針が挿通される穴が形成されている筒状本体２２を有する。筒状本体２２においては、穴の外側において、すなわち端面２２ａの外側に複数のリブ２３ａ，２３ｂが一体に形成されている。リブ２３ａ，２３ｂの基端側は、端面２２ａに固定されており、リブ２３ａ，２３ｂの先端が、互いに近接・離間可能とされている。
【００６７】
リブ２３ａ，２３ｂが近接された状態が図１６（ａ）に示されており、この状態で、図示しない採血針がリブ２３ａ，２３ｂに保持される。他方、図１６（ｂ）は、リブ２３ａ，２３ｂが互いに離間された状態を示し、この場合には、図示しない採血針を容易に着脱することが可能とされている。
【００６８】
複数のリブ２３ａ，２３ｂは、先端側が、複数のリブ２３ａ，２３ｂを近接させて集合した際に円形の開口部を構成するように、その内周面が略円筒曲面状とされている。また、複数のリブ２３ａ，２３ｂの外周面は、図１６（ａ）に示す近接状態にある場合に、複数のリブ２３ａ，２３ｂが集合された構造の基端側に比べて、先端側の径が大きくなるようにテーパーが付けられた形状を有する。
【００６９】
複数のリブ２３ａ，２３ｂは、筒状本体２２と合成樹脂などにより一体に構成されており、常時は、図１６（ｂ）に示すように、複数のリブ２３ａ，２３ｂの先端が離間するように合成樹脂の弾性により付勢されている。
【００７０】
すなわち、リブ２３ａ，２３ｂは、上記採血針の保持及び着脱操作を可能とするために、近接状態では、リブ２３ａ，２３ｂの内周面が採血針の被保持部を保持するように、リブ２３ａ，２３ｂを近接させた状態において、その集合体の内径が採血針の被保持部の外径よりも若干小さくされている。
【００７１】
他方、図１６では図示を省略してあるが、図１７（ａ）に示すように、上記採血管ホルダー２１の軸方向に移動可能に配置されており、かつ複数のリブ２３ａ，２３ｂに外挿された着脱操作部材２４が備えられている。着脱操作部材２４は、筒状部２４ａと、天板部２４ｂとを有する。天板部２４ｂには、貫通孔２４ｃが形成されている。また、着脱操作部材２４は、採血管ホルダー２１に、その軸方向に移動可能に取り付けられている。
【００７２】
上記貫通孔２４ｃの径は、着脱操作部材２４を上方に移動させた場合に、複数のリブ２３ａ，２３ｂの外周面に貫通孔２４ｃの内周面が当接し、複数のリブ２３ａ，２３ｂを図１６（ａ）に示した近接状態すなわち採血針保持状態とし得るように選ばれている。
【００７３】
また、上記貫通孔２４ｃの径は、複数のリブ２３ａ，２３ｂが図１６（ｂ）に示す離間状態にある際のリブ２３ａ，２３ｂの基端側における外周縁を結ぶ円よりも大きな径を有するように選択されている。
【００７４】
従って、着脱操作部材２４を、端面２２ａ側に移動することにより、図１７（ｂ）に示すように、複数のリブ２３ａ，２３ｂを離間状態として、採血針の着脱を容易に行うことができる。また、採血針を取り付けるに際しては、図１７（ｂ）に示す状態から採血針を挿入し、複数のリブ２３ａ，２３ｂの内周面と採血針の被保持部の軸方向位置が一致した状態で、着脱操作部材２４を上方に移動させることにより、複数のリブ２３ａ，２３ｂを図１６（ａ）に示す状態として採血針を保持することができる。この場合、複数のリブ２３ａ，２３ｂの外周面が上述したテーパーを有するため、着脱操作部材２４を上方に移動させるだけで、貫通孔２４ｃの内周面により複数のリブ２３ａ，２３ｂが近接する方向に付勢され、採血針が複数のリブ２３ａ，２３ｂにより確実に保持される。
【００７５】
また、保持された採血針の取り外しに際しては、着脱操作部材２４を下方に移動すると、複数のリブ２３ａ，２３ｂが互いに離間する方向に付勢されているため、図１６（ｂ）に示したように、複数のリブ２３ａ，２３ｂの先端が開き、容易に採血針を取り外すことができる。
【００７６】
好ましくは、図１８に示すように、上記着脱操作部材２４の天板部２４ｂの下面と端面２２ａとの間に圧縮バネ２５を配置し、着脱操作部材２４を上方に圧縮バネ２５により付勢してもよい。圧縮バネ２５を天板部２４ｂの下面と端面２２ａの上面との間に介在させることにより、採血針の着脱をより確実かつ容易に行うことができる。
【００７７】
すなわち、圧縮バネ２５の付勢力に逆らって着脱操作部材２４を図１８に示すように、端面２２ａ側に近付けることにより、複数のリブ２３ａ，２３ｂの先端が開き、真空採血針の着脱を容易に行うことができる。真空採血針を取り付けるに際しては、図１８に示した状態から真空採血針を挿入し、複数のリブ２３ａ，２３ｂの内周面が真空採血針の被保持部に対して軸方向に位置決めされた状態で着脱操作部材２４に加えていた力を開放すればよい。すなわち、圧縮バネ２５の付勢力により、着脱操作部材２４が上方に移動され、上記力を開放するだけで、貫通孔２４ｃにより複数のリブ２３ａ，２３ｂが図１６（ａ）に示した近接状態（保持状態）となるように移動される。
【００７８】
しかも、真空採血針を複数のリブ２３ａ，２３ｂで保持した状態において、上記圧縮バネ２５の付勢力により、複数のリブ２３ａ，２３ｂが互いに近接するように付勢され続けている。従って、真空採血針を確実かつ容易に採血管ホルダー２１に保持させることができる。
【００７９】
なお、リブ２３ａ，２３ｂの形状及び数については、図１６に示したものに限定されず、３以上のリブを設けてもよく、また複数のリブが集合した状態で、必ずしも閉環を構成する必要もない。すなわち、複数のリブが近接された状態で、リブ間に隙間があってもよく、その場合であっても真空採血針を確実に保持することができる。
【００８０】
また、リブ２３ａ，２３ｂの内周面の形状についても、図１８に断面図で示されているものに限定されず、保持される採血針の被保持部の外形に応じて適宜変更され得る。
【００８１】
また、複数のリブ２３ａ，２３ｂは、繰り返し使用されるものであるため、繰り返し使用した場合においても折り曲げによる破壊等が生じ難い材質で構成することが好ましい。また、採血管ホルダー２１においては、内部の採血管を外部から視認し得るように、透明性を有することが望ましい。従って、これらの要求を満たすには、採血管ホルダー２１及び複数のリブ２３ａ，２３ｂは、ポリプロピレンにより構成することが好ましい。もっとも、着脱操作部材２４については、透明である必要は必ずしもなく、従って、上記操作に耐え得る機械的強度を有する限り、適宜の材料により構成することができる。
【００８２】
（請求項７に記載の発明に係る採血管ホルダーの構造例）
図１９は、請求項７に記載の発明に係る採血管ホルダーの構造を説明するための縦断面図である。
【００８３】
採血管ホルダー３１は、図示しない下端が開口されており、上端が端面３２ａにより閉塞されている筒状本体３２を有する。
筒状本体３２の端面３２ａには、採血針が挿通される穴３２ｂが形成されている。
【００８４】
端面３２ａの外側には、筒部３３が突出形成されている。筒部３３は、筒状本体３２と同じ材料により一体に構成されているが、他の材料により構成されてもよく、端面３２ａに接着剤などを用いて固定されていてもよい。
【００８５】
本構造例では、筒部３３は筒状本体３２と一体に構成されている。この筒部３３の構造を、図２０を参照して説明する。筒部３３は、端面３２ａ側に相対的に径の小さな小径部３３ａを有し、上方に相対的に径の大きな大径部３３ｂとを有する。小径部３３ａと大径部３３ｂとの間には、周方向に延びるように、複数の山形部３３ｃが形成されている。山形部３３ｃは、垂直壁３３ｃ1 と、垂直壁３３ｃ1 と頂点で集合されている傾斜壁３３ｃ2 とを有する。
【００８６】
図１９に戻り、筒部３３の上端３３ｄ近傍においては、筒部３３の内周面にストッパー３４が固定されている。
上記ストッパー３４を、図２１（ａ）及び（ｂ）に示す。ストッパー３４は、リング状の部材であり、下端に深さの異なる第１，第２の係合凹部３４ａ，３４ｂを有する。すなわち、第１の係合凹部３４ａは、垂直壁３４ａ1 と、傾斜壁３４ａ2 とが最奥部で集合されている形状を有し、その深さが相対的に小さくされている。
【００８７】
他方、第２の係合凹部３４ｂは、水平方向に延びる底部３４ｂ1 と、底部３４ｂ1 の両側に設けられた垂直壁３４ｂ2 ，３４ｂ3 とを有し、その深さが相対的に大きくされている。
第１，第２の係合凹部３４ａ，３４ｂは、周方向に交互に形成されており、かつ後述の内筒の外周面に設けられた突起に係合される部分を構成している。
【００８８】
図１９に戻り、筒部３３内には、内筒３５が挿入されている。この内筒３５の構造を、図２２及び図２３を参照して説明する。
内筒３５は、略筒状の部材であるが、上端側に、真空採血針を保持するために近接・離間される複数のリブ３５ａ〜３５ｄを有する。図２２はリブ３５ａ〜３５ｄが互いに近接して採血針を保持する状態とされており、図２３では、複数のリブ３５ａ〜３５ｄの先端が互いに離間されて採血針を着脱し得る状態とされている。
【００８９】
複数のリブ３５ａ〜３５ｄは、上記近接状態及び離間状態を実現するために、薄肉部３５ｅ（図２２（ｂ））を基点として先端側が径方向外側に移動し得るように構成されている。
【００９０】
また、複数のリブ３５ａ〜３５ｄは、図２２（ａ）に示す近接状態では、リブ３５ａ〜３５ｄが集合することにより構成される円形の内周面が、挿入される真空採血針の被保持部の外径よりも小さくされている。
【００９１】
他方、図２３（ａ）に示す離間状態では、リブ３５ａ〜３５ｄの内周面を結んで構成される円の径は、真空採血針の最大外径部分よりも大きくされている。
内筒３５の中間高さ位置においては、径方向外側に突出する複数の突起３５ｆが形成されている。突起３５ｆは、前述したストッパー３４の第１，第２の係合凹部３４ａ，３４ｂに係合される部分である。
また、内筒３５においては、上端から下端に貫くように真空採血針が挿入される貫通孔３５ｇが形成されている。
【００９２】
図１９に戻り、内筒３５の下端面と端面３２ａとの間には押圧バネ３６が挿入されている。押圧バネ３６は、内筒３５を上方に付勢している。
図１９を参照して、採血管ホルダー３１における真空採血針の着脱操作を説明する。
【００９３】
初期状態では、内筒３５は押圧バネ３６により上方に付勢されているが、突起３５ｆがストッパー３４の第２の係合凹部３４ｂに入り、第２の係合凹部３４ｂの最奥部にある底部３４ｂ1 に当接されている。従って、図１９に示す状態とは異なり、内筒３５が図１９に示されている状態よりも上方に移動されており、内筒３５の先端側に設けられた複数のリブ３５ａ〜３５ｄが筒部３３の外側において互いに離間された状態（図２３に示す状態）とされている。従って、真空採血針を内筒３５の貫通孔３５ｇ内に容易に挿入することができ、真空採血針を内筒３５に押し付けると、真空採血針のフランジ（図５の８ｂ）が内筒３５のリブ３５ａ〜３５ｄの基端に位置する水平面３５ｈ（図２３）に当たり、内筒３５を下方に押動することができる。
【００９４】
押圧バネ３６の付勢力に逆らって内筒３５を下方に移動すると、第２の係合凹部３４ｂから突起３５ｆが離脱する。また、ストッパー３４の溝３４ａと筒部３３の山形部３３ａの係合関係により、上記突起３５ｆが、第１の係合凹部３４ａ側に移動し、係止される。この状態が図１９に示されている。図１９に示すように、内筒３５では複数のリブ３５ａ〜３５ｄが近接された状態に維持される。そのため、複数のリブ３５ａ〜３５ｄの内周面により、真空採血針の被保持部が確実に保持される。採血はこの状態で行われる。
【００９５】
採血終了後、再度採血針を押し込み、内筒３５を下方に押動すると、ストッパー３４の溝３４ａと筒部３３の山形部３３ａの係合関係により、上記突起３５ｆが、第２の係合凹部３４ｂ側に移動し、押圧バネの付勢力によって３４ｂ内に入り込み、係止される。その結果、初期状態に戻り、内筒３５は図２３（ｂ）に示すように、リブが離間された状態になり、採血針の取り外しが可能になる。
【００９６】
よって、上記第１の係合凹部３４ａの深さは、突起３５ｆが係止された際に、内筒３５の複数のリブ３５ａ〜３５ｄが真空採血針を保持し得るように選ばれる。すなわち、複数のリブ３５ａ〜３５ｄが近接状態にあるときに、これらの内周面で規定される円の径が真空採血針の被保持部の外径よりも小さくなるように、上記第１の係合凹部３４ａの深さが選択される。
【００９７】
他方、第２の係合凹部３４ｂの深さについては、上述したように、突起３５ｆが第２の係合凹部３４ｂに係合された際に、複数のリブ３５ａ〜３５ｄが図２３に示した離間状態となるように選ばれる。すなわち、複数のリブ３５ａ〜３５ｄが離間した状態となるように内筒３５が筒部３３から上方に突出した状態とされるように、第２の係合凹部３４ｂの深さが選ばれる（図２４参照）。
【００９８】
（請求項１０に記載の発明に係る採血管ホルダーの構造例）
図２５は、請求項１０に記載の発明に係る採血管ホルダーの構造例を説明するための部分切欠斜視図である。採血管ホルダー４１では、筒状本体４２の下端が開口されており（特に図示せず）、上端が端面４２ａにより閉塞されている。もっとも、端面４２ａには、採血針が挿入される穴４２ｂが形成されている。
【００９９】
穴４２ｂの上方においては、端面４２ａに、２本のＪ字状バネ部材４３，４４が取り付けられている。Ｊ字状バネ部材４３，４４は、外側端に円板状の操作部４３ａ，４４ａを有し、操作部４３ａ，４４ａから内側に向かってＪ字状に延ばされている。また、Ｊ字状に延ばされている部分の内側面４３ｂ，４４ｂが互いに対向するように配置されている。
【０１００】
上記内側面４３ｂ，４４ｂは、常時は、その対向距離が、保持される真空採血針の被保持部の外径よりも小さくされている。
他方、上記Ｊ字状バネ部材４３，４４は、端部４３ｃ，４４ｃにおいて端面４２ａに固定されている。
【０１０１】
採血管ホルダー４１を用いて真空採血針を着脱する操作を説明する。初期状態では、内側面４３ｂ，４４ｂの対向距離が、真空採血針の被保持部よりも小さいため、図２５に示す状態のままでは真空採血針を挿入することができない。
【０１０２】
そこで、まず、操作部４３ａ，４４ａを採血管ホルダー４１の中心軸に向かって押圧する。Ｊ字状バネ部材４３，４４は、端部４３ｃ，４４ｃが端面４２ａに固定されているため、この操作により、Ｊ字状バネ部材４３，４４がたわみ、内側面４３ｂ，４４ｂ間の対向距離が拡げられる。従って、内側面４３ｂ，４４ｂで囲まれた領域に真空採血針を挿入することができる。
【０１０３】
次に、内側面４３ｂ，４４ｂの軸方向位置を、真空採血針の被保持部に合致するように調整し、その状態で操作部４３ａ，４４ａに加えていた力を開放する。その結果、内側面４３ｂ，４４ｂが、Ｊ字状バネ部材４３，４４の付勢力により初期状態に復帰しようとし、該付勢力より、内側面４３ｂ，４４ｂにより真空採血針の被保持部が弾力挟持される。
【０１０４】
従って、操作部４３ａ，４４ａに採血管ホルダー４１の中心軸方向に力を加え、真空採血針を挿入し、軸方向位置を調整した後、力を開放するだけで、容易に真空採血針を採血管ホルダー４１に保持させることができる。
【０１０５】
真空採血針の取り外しに際しては、操作部４３ａ，４４ａに再度採血管ホルダー４１の中心軸方向に力を加え、内側面４３ｂ，４４ｂの対向距離を増大させる。その結果、内側面４３ｂ，４４ｂの対向距離が大きくなるため、採血管ホルダー４１を上下転倒させるだけで、真空採血針に手を触れることなく真空採血管を採血管ホルダーから取り外すことができる。
【０１０６】
好ましくは、図２６に示すように、上記Ｊ字状バネ部材４３，４４を被覆するように蓋材４５を設けてもよい。蓋材４５は、筒状部４５ａと、貫通孔４５ｂを有する天板部４５ｃとを有する。筒状部４５ａの下面が筒状本体４２の端面４２ａに固定されている。また、貫通孔４５ｂは真空採血針を保持した状態で真空採血針の揺動を規制するために設けられている。
【０１０７】
図２７に略図的に示すように、真空採血針４６がハブ４６ａを有し、ハブ４６ａの上端にフランジ部４６ｂが形成されている場合、該フランジ部４６ｂを、貫通孔４５ｂに係合させることにより、真空採血針の保持状態を安定化することができる。すなわち、貫通孔４５ｂは、相対的に径の小さな小径部４５ｂ1 と、小径部４５ｂ1 の上方に配置されており、かつ相対的に径の大きな大径部４５ｂ2 とを有する。従って、上記貫通孔４５ｂの大径部４５ｂ2 の径を、真空採血針４６のフランジ部４６ｂの径と同等としておき、小径部４５ｂ1 の径をフランジ部４６ｂの径よりも小さくしておくことにより、フランジ部４６ｂを貫通孔４５ｂ内に安定に保持することができる。
【０１０８】
なお、採血管ホルダー４１では、一対のＪ字状バネ部材４３，４４を用いたが、Ｊ字状バネ部材に代えて、同様の作用を発揮し得る弧状のバネ部材を用いてもよく、また、これらのバネ部材の数についても２本に限定されず、３本以上用いてもよい。
【０１０９】
（請求項１１に記載の発明に係る採血管ホルダーの構造例）
図２８は、請求項１１に記載の発明に係る採血管ホルダーの一構造例を示す部分切欠断面図である。
【０１１０】
採血管ホルダー５１では、筒状本体５２は、下端（図示されず）が開口されており、上端が端面５２ａにより閉塞されている。もっとも、端面５２ａには、採血針が挿入される穴５２ｂが形成されている。
【０１１１】
端面５２ａの外側には、端面５２ａに一体に複数の保持部材５３が形成されている。保持部材５３は、真空採血針を保持するために設けられており、端面５２ａから端面外側に向かって延びる基端部５３ａと、基端部５３ａの先端から保持される真空採血針（図示されず）に向かって延び、常時はその付勢力より採血針を保持し得るように構成された弾性爪５３ｂを有する。図２８から明らかなように、弾性爪５３ｂは、先端にいくにむかって厚みが薄くなるように構成されており、端面５２ａと略平行に延ばされている。
【０１１２】
複数の弾性爪５３ｂの先端間の距離は、挿入される真空採血針の被保持部の外径よりも小さくされている。従って、真空採血針を挿入した場合、被保持部が弾性爪５３ｂ，５３ｂ間を押し広げるように保持された場合、弾性爪５３ｂ，５３ｂの弾性復元力により真空採血針を弾性爪５３ｂ，５３ｂ間に保持することができる。
【０１１３】
他方、保持部材５３，５３の外側には、着脱操作部材５４が配置されている。着脱操作部材５４は、筒状部５４ａを有する。筒状部５４ａは筒状本体５２に外挿されている。また、筒状部５４ａの上端には、天板部５４ｂが連ねられており、天板部５４ｂの中央に貫通孔５４ｃが形成されている。貫通孔５４ｃの周壁は、天板部５４ｂよりも下方に突出されており、それによって環状突起５４ｄが形成されている。この環状突起５４ｄは、弾性爪５３ｂ，５３ｂを下方に押圧するために設けられている。
【０１１４】
採血管ホルダー５１を用いて真空採血針を着脱する操作を説明する。初期状態では、弾性爪５３ｂ，５３ｂ間の対向距離は真空採血針の被保持部の保持部の外径よりも小さくされている。従って、図２８に示す状態のまま真空採血針を挿入することは困難である。そこで、まず、着脱操作部材５４を図２８に示す状態から下方に移動させ、弾性爪５３ｂ，５３ｂの下方であり、かつ径方向外側に移動させることにより、弾性爪５３ｂ，５３ｂ間の対向距離を増大させる。この状態で真空採血針を挿入し、真空採血針の被保持部と弾性爪５３ｂ，５３ｂの軸方向位置を合わせる。
【０１１５】
しかる後、着脱操作部材５４に加えていた力を開放する。その結果、弾性爪５３ｂ，５３ｂの弾性復元力により、着脱操作部材５４が上方に押し上げられると共に、弾性爪５３ｂ，５３ｂにより真空採血針の被保持部が強固に保持される。
【０１１６】
真空採血針の取り外しに際しては、採血管ホルダー５１を上下転倒し、その状態で着脱操作部材５４を端面５２ａ側に圧接する。その結果、弾性爪５３ｂ，５３ｂが再度端面５２ａ側であって径方向外側に移動され、弾性爪５３ｂ，５３ｂ間の対向距離が増大される。従って、保持されていた真空採血針が採血管ホルダー５１から外れ、落下する。
【０１１７】
従って、本構造例に係る採血管ホルダー５１においても、採血管の着脱に際し、真空採血針にほとんど手を触れることなく操作することができ、かつ汚染された真空採血針の取り外しに際しては、真空採血針に手を全く触れることなく真空採血針を取り外すことができる。
【０１１８】
（請求項１２に記載の発明に係る採血管ホルダーの構造例）
請求項１２に記載の発明に係る採血管ホルダーでは、前述した請求項１に記載の発明に係る採血管ホルダーと同様の筒状本体が用いられ、この筒状本体の構造については、図１に示した筒状本体２と同様に構成されるため、図示を省略することとする。
【０１１９】
本構造例の採血管ホルダーでは、筒状本体の採血針が挿通される穴が形成されている側に構成されている端面の外側に、図２９に示す弾性保持部材６１が固定されている。弾性保持部材６１は、真空採血針を挟持する一対の挟持面６１ａ，６１ｂを有する。挟持面６１ａ，６１ｂは、円筒状曲面を有し、互いに対向されている。この挟持面６１ａ，６１ｂは、バネ性を有する連結部６１ｃ，６１ｄにより連結されている。また、初期状態では、挟持面６１ａ，６１ｂ間の対向距離は、挿入される真空採血針の被保持部の外径よりも小さくされている。また、連結部６１ｃ，６１ｄは、図２９において、挟持面６１ａ，６１ｂが対向している方向に力を加えることによりそのバネ性に逆らって挟持面６１ａ，６１ｂ間の対向距離を拡げるように変形し得る。
【０１２０】
上記挟持面６１ａ，６１ｂにより、弾力挟持部が構成されている。
挟持面６１ａに連なるように、挟持面６１ａの後方に、ストッパー６１ｈが形成されている。
【０１２１】
他方、弾性保持部材６１では、矩形の枠部６１ｅに、溝６１ｆ，６１ｇが形成されている。溝６１ｆ，６１ｇは、上記連結部６１ｃ，６１ｄの上面よりも、溝６１ｆ，６１ｇの底面が高くなるように形成されている。他方、上記ストッパー６１ｈは、溝６１ｆ，６１ｇの底面よりも上方に延びるように、かつ溝６１ｆ，６１ｇの長さ方向を延長した位置に配置されている。
【０１２２】
本構造例の採血管ホルダーでは、上記弾性保持部材６１に対し、着脱操作部材６２が組み合わされる。着脱操作部材６２は、溝６１ｆ，６１ｇに入り込み得る操作片６２ａ，６２ｂを操作部６２ｃで連結し、一体化した構造を有する。
【０１２３】
操作片６２ａ，６２ｂは、溝６１ｆ，６１ｇ内に挿入された際に、溝６１ｆ，６１ｇの底面に沿って摺動し、その先端がストッパー６１ｈに当接し、かつストッパー６１ｈを挟持面６１ｂから遠ざける方向に移動させ得る長さに選ばれている。
【０１２４】
次に、本構造例に係る採血管ホルダーを用いた真空採血針の着脱操作を説明する。
真空採血針を取り付けるに際しては、挟持面６１ａ，６１ｂ間の対向距離が真空採血針の被保持部の外径よりも小さくされているため、そのままの状態では真空採血針を挟持面６１ａ，６１ｂ間に保持させることができない。従って、まず、着脱操作部材６２の操作片６２ａ，６２ｂを弾性保持部材６１の溝６１ｆ，６１ｇ内に挿入し、操作部６２ｃを押圧することにより、操作片６２ａ，６２ｂによりストッパー６１ｈを挟持面６１ｂから遠ざかるように移動させる。その結果、ストッパー６１ｈに連結されている連結部６１ｃ，６１ｄがたわみ、挟持面６１ａ，６１ｂ間の対向距離が増大し、真空採血針を挿通させることができる。
【０１２５】
しかる後、真空採血針の被保持部と、挟持面６１ａ，６１ｂの採血管ホルダーの軸方向位置を合わせる。その状態で、着脱操作部材６２に加えていた力を開放する。その結果、連結部６１ｃ，６１ｄの付勢力により、ストッパー６１ｈが挟持面６１ｂ側に引き寄せられると共に、挟持面６１ａ，６１ｂ間の対向距離が小さくなり、真空採血針の被保持部が挟持面６１ａ，６１ｂにより弾力挟持される。
【０１２６】
真空採血針を取り外すに際しては、着脱操作部材６２の操作片６２ａ，６２ｂを再度溝６１ｆ，６１ｇ内に挿入し、採血管ホルダーを上下転倒する。その状態で、ストッパー６１ｈを挟持面６１ｂから遠ざけるように、操作片６２ａ，６２ｂによりストッパー６１ｈを押圧し、連結部６１ｃ，６１ｄをたわませる。その結果、挟持面６１ａ，６１ｂ間の対向距離が再度増大され、真空採血針が落下する。
【０１２７】
従って、弾性保持部材６１及び着脱操作部材６２を有する本構造例に係る採血管ホルダーにおいても、汚染された真空採血針に手を触れることなく、真空採血針を採血管ホルダーから容易に取り外すことができる。
【０１２８】
【発明の効果】
請求項１に記載の発明に係る採血管ホルダーでは、弾性保持部材の切り込みの幅を拡大させる拡径操作及び弾性保持部材の弾性復元力を利用した縮径操作により、真空採血針の保持及び抜去を容易に行うことができる。すなわち、筒状本体の端面外側に配置された円筒状の弾性保持部材を拡径することにより、真空採血針を弾性保持部材内に容易に挿入することができ、拡径操作を停止し、弾性保持部材の弾性復元力を利用して縮径させることにより、真空採血針を弾性保持部材に確実に保持させることができる。すなわち、ねじ込みのような煩雑な作業を用いることなく真空採血針を採血管ホルダーに容易にかつ迅速に取り付けることができる。
【０１２９】
加えて、保持されている状態において、真空採血針は弾性保持部材の内周面に弾性保持部材の弾性復元力を利用して圧接されているため、軸まわりに容易に回転させることができる。従って、真空採血管の血管挿入側の刃先の向きを、採血が行い易い向きに容易に調整することができる。
【０１３０】
また、採血後には、上記弾性保持部材を再度拡径することにより、真空採血針を採血管ホルダーから容易に抜去することができる。しかも、上記拡径操作に際し、真空採血針自体には手を触れる必要がないため、血液が付着している採血後の真空採血針に手を触れることなく真空採血針の廃棄作業を行うことができる。
【０１３１】
よって、本発明によれば、多量の採血を行う場合であっても容易にかつ迅速に採血針を装着することができ、採血針の刃先を所望の向きに容易に調整することができ、しかも採血針を速やかにかつ安全に抜去し得る採血管ホルダーを提供することが可能となる。
【０１３２】
請求項２に記載の発明では、円筒状の弾性保持部材の切り込みを挟んで対向している部分の少なくとも一方の側に、切り込みの幅を拡大するためのレバーが形成されているため、採血針の装着及び抜去に際しての拡径操作を容易に行うことができる。
【０１３３】
請求項３に記載の発明に係る採血管ホルダーでは、筒状本体の端面近傍に凹部もしくは凸部が形成されており、上記レバーの一部に凹部もしくは凸部に係合し得る凸部もしくは凹部が形成されており、筒状本体の凹部もしくは凸部の位置が、採血針を弾性保持部材に強固に保持し得る位置とされているため、拡径後、弾性保持部材の弾性復元力により縮径させた場合に、さらに上記レバーの凸部もしくは凹部を筒状本体の凹部もしくは凸部に係合させることにより、採血針を採血管ホルダーに強固に保持・固定することができる。
【０１３４】
請求項６に記載の発明に係る採血管ホルダーでは、筒状本体の端面外側に一端側が固定されている複数のリブが形成されており、該複数のリブの先端が近接・離間可能とされており、かつ常時は先端が離間する方向に付勢されているため、上記複数のリブに外挿された着脱操作部材を複数のリブの先端側に移動させることにより、複数のリブを着脱操作部材の貫通孔により近接させた状態として真空採血針を確実に保持することができ、取り外しに際しては、上記着脱操作部材を筒状本体の端面側に移動させることにより、複数のリブの弾性復元力により複数のリブが離間状態とされる。従って、ねじ込みのような煩雑な作業を用いることなく真空採血針を採血管ホルダーに容易にかつ迅速に取り付けることができると共に、保持されている状態において、真空採血針を軸周りに容易に回転させることができる。
【０１３５】
また、採血後には、上記着脱操作部材を端面側に移動させる操作を行うだけで真空採血針を採血管ホルダーから容易に抜去することができる。従って、採血管ホルダーを上下転倒し、上記着脱操作部材を操作するだけで、真空採血針自体に手を触れることなく、真空採血針の廃棄作業を行うことができる。
【０１３６】
請求項７に記載の発明に係る採血管ホルダーでは、筒状本体の端面外側に突出形成された筒部と、筒部に挿入されており、採血管ホルダーの筒状本体の端面とは反対側において、互いに近接・離間可能とされた複数のリブが形成されている内筒とを備え、内筒が筒部に相対的に深く挿入されており、複数のリブが互いに近接して採血針を保持する保持位置と、内筒が筒部に対して相対的に浅く挿入されており、複数のリブが互いに離間されて採血針の着脱が可能である着脱位置とをとり得るように内筒が筒部内で軸方向に移動可能とされているため、内筒を上記のように移動させることにより、採血針の着脱及び保持を容易に行うことができる。
【０１３７】
しかも、内筒及び筒部の一方に、他方に対して突出するように少なくとも１つの突起が形成されており、内筒及び筒部の他方に、第１，第２の係合凹部が軸方向において異なる位置に形成されている。加えて、第１，第２の係合凹部に、それぞれ前記突起が係合された際に、上記保持状態及び着脱状態となるように第１，第２の係合凹部の位置が定められているため、突起と第１，第２の係合凹部との係合により、上記保持状態及び着脱状態を確実に実現することができる。
【０１３８】
よって、請求項７に記載の発明に係る採血管ホルダーにおいても、ねじ込みのような煩雑な作業を用いることなく真空採血針を採血管ホルダーに容易にかつ迅速に取り付けることができると共に、保持状態で複数のリブにより採血針が保持されているだけであるため、真空採血針を軸周りに容易に回転させることができる。
加えて、採血後には、真空採血針を採血管ホルダーから、真空採血針自体に手を触れることなく容易に抜去することができる。
【０１３９】
請求項８に記載の発明に係る採血管ホルダーでは、上記筒部内において、採血管ホルダーの端面とは反対方向に内筒を付勢するための付勢手段が設けられているため、複数のリブにより真空採血針を保持する保持状態を容易に実現することができ、真空採血針の被保持部と複数のリブとの軸方向の位置決めを完了した後に、何らの操作を必要とすることなく、加えていた力を開放するだけで真空採血針を容易にかつ確実に保持することができる。
【０１４０】
また、請求項１０に記載の発明に係る採血管ホルダーでは、少なくとも２本の弧状もしくはＪ字状バネ部材の内側面間の対向距離を拡大させる操作及び該バネ部材の弾性復元力を利用した対向距離を縮める操作により、真空採血針の保持及び抜去を容易に行うことができる。すなわち、筒状本体の端面外側に配置されたバネ部材の内側面間の距離を拡大することにより、真空採血針を容易に挿入することができ、該操作を停止し、バネ部材の弾性復元力を利用して内側面間の対向距離を小さくすることにより、真空採血針をバネ部材の内側面間に確実に保持することができる。すなわち、ねじ込みのような煩雑な作業を用いることなく、真空採血針を採血管ホルダーに容易にかつ迅速に取り付け得る。
【０１４１】
また、保持されている状態においては、バネ部材の内側面間の該バネ部材の弾性復元力を利用して真空採血針が固定されているだけであるため、真空採血針を軸周りに容易に回転させ得る。
【０１４２】
さらに、採血後には、バネ部材の内側面間の距離を再度拡げることにより、真空採血針を採血管ホルダーから容易に抜去することができる。従って、真空採血針自体に手を触れることなく、真空採血針を採血管ホルダーから容易に抜去することができる。
【０１４３】
請求項１１に記載の発明に係る採血管ホルダーでは、筒状本体の端面外側に複数の保持部材が設けられており、該複数の保持部材が、真空採血針に向かって延びる弾性爪を有する。従って、弾性爪間の距離を、拡げるように着脱操作部材により弾性爪を移動させることにより、真空採血針を複数の弾性爪間に容易に挿入することができ、該操作を停止し、弾性爪の弾性復元力を利用して弾性爪間の距離を小さくすることにより、真空採血針を弾性爪間に確実に保持させることができる。
【０１４４】
加えて、保持されている状態においては、真空採血針は弾性爪間に弾性爪の弾性復元力を利用して挟持されているだけであるため、真空採血針を軸周りに容易に回転させ得る。
【０１４５】
さらに、請求項１１に記載の発明においても、採血後においては、複数の弾性爪間の距離を再度拡げるように操作するだけで、真空採血針に手を触れることなく、採血管ホルダーから真空採血針を容易に抜去することができる。
【０１４６】
請求項１２に記載の発明に係る採血管ホルダーによれば、付勢力により採血針を弾力挟持し得る複数の弾力挟持部を有する弾性保持部材と、該弾力挟持部間の間隔を拡げるように弾性保持部材に組み合わされた着脱操作部材とを備えるため、着脱操作部材を用いて弾力挟持部間の間隔を拡げることにより、真空採血針を弾力挟持部間に容易に挿入することができ、かつ該操作を停止し、弾力挟持部の弾性復元力を利用して弾力挟持部間の距離を縮めることにより、真空採血針を弾力挟持部間に確実に保持することができる。すなわち、ねじ込みのような煩雑な作業を必要とすることなく、真空採血針を採血管ホルダーに容易にかつ迅速に取り付けることができる。
【０１４７】
加えて、保持されている状態においては、真空採血針は、弾力挟持部間に該弾力挟持部の弾性復元力を利用して保持されているだけであるため、軸周りに真空採血針を容易に回転させ得る。
【０１４８】
また、採血後には、弾力挟持部間の距離を再度拡げるように着脱操作部材を操作することにより、真空採血針を採血管ホルダーから、手を触れることなく容易に抜去することができる。
【図面の簡単な説明】
【図１】本発明に係る採血管ホルダーの第１の構造例を示す外観斜視図。
【図２】図１に示した採血管ホルダーの模式的平面図。
【図３】（ａ）及び（ｂ）は、図１に示した採血管ホルダーに用いられている筒状本体の平面図及び縦断面図。
【図４】図１に示した採血管ホルダーに用いられている弾性保持部材を示す斜視図。
【図５】（ａ）〜（ｃ）は、それぞれ、図１に示した採血管ホルダーを用いて採血針を保持する工程を説明するための各斜視図。
【図６】本発明に係る採血管ホルダーの第２の構造例を示す外観斜視図。
【図７】図６に示した採血管ホルダーの要部として、キャップの下面に取り付けられた弾性保持部材を示す斜視図。
【図８】（ａ）及び（ｂ）は、図６に示した採血管ホルダーに用いられているキャップを示す平面図及び側面図。
【図９】図８に示したキャップに真空採血針をセットした場合のキャップ天板部に設けられた凹部の作用を説明するための部分断面図。
【図１０】（ａ）及び（ｂ）は、それぞれ、本発明に係る採血管ホルダーにおいて弾性保持部材を拡径する操作を説明するための平面図。
【図１１】（ａ）及び（ｂ）は、それぞれ、レバーが設けられた弾性保持部材を用いて弾性保持部材を拡径する操作を説明するための各平面図。
【図１２】本発明に係る採血管ホルダーにおいて、筒状本体に加わる外力の方向を説明するための斜視図。
【図１３】本発明に係る採血管ホルダーにおいて、弾性保持部材及び筒状本体に設けられた係合構造を説明するための模式的平面図。
【図１４】（ａ）及び（ｂ）は、それぞれ、本発明に係る採血管ホルダーに用いられる弾性保持部材の変形例を説明するための斜視図及び平面図。
【図１５】本発明に係る採血管ホルダーにおいて用いられる弾性保持部材のさらに他の変形例を説明するための平面図。
【図１６】（ａ）及び（ｂ）は、本発明の採血管ホルダーの他の構造例を説明するための各斜視図。
【図１７】（ａ）及び（ｂ）は、それぞれ、図１６に示した採血管ホルダーにおいて、蓋材を取り付けた状態を示す部分切欠斜視図及び複数のリブが離間された状態を示す部分切欠断面図。
【図１８】図１６に示した採血管ホルダーに、押圧バネを組み合わせた変形例を示す部分切欠断面図。
【図１９】本発明の採血管ホルダーのさらに他の構造例を説明するための縦断面図。
【図２０】図１９に示した採血管ホルダーに用いられている筒部を説明するための縦断面図。
【図２１】（ａ）及び（ｂ）は、図１９に示した採血管ホルダーに用いられているストッパーを説明するための縦断面図及び底面図。
【図２２】（ａ）及び（ｂ）は、図１９に示した採血管ホルダーに用いられている内筒を説明するための平面図及び縦断面図。
【図２３】（ａ）及び（ｂ）は、図２２に示した内筒において複数のリブが離間された状態を説明するための平面図及び縦断面図。
【図２４】図１９に示した採血管ホルダーにおける突起と、第１，第２の係合凹部との関係を説明するための略図的縦断面図。
【図２５】本発明の採血管ホルダーのさらに他の構造例を説明するための部分切欠斜視図。
【図２６】図２５に示した採血管ホルダーの変形例を説明するための部分切欠斜視図。
【図２７】図２６に示した採血管ホルダーに採血針を固定した状態を説明するための部分切欠縦断面図。
【図２８】本発明の採血管ホルダーの他の構造例を説明するための部分切欠縦断面図。
【図２９】本発明に係る採血管ホルダーのさらに他の構造例を説明するための斜視図。
【符号の説明】
１…採血管ホルダー
２…筒状本体
２ａ…端面
２ｃ…孔
２ｅ…係合凹部
３…弾性保持部材
３ａ…切り込み
３ｂ…下面
１１…採血管ホルダー
１２…キャップ
１２ａ…天板部
１２ｂ，１２ｂ…脚部
１２ｃ…貫通孔
１２ｄ…凹部
１４…レバー
１４ｂ…係合突起
１５…レバー
２１…採血管ホルダー
２２…筒状本体
２２ａ…端面
２３ａ，２３ｂ…リブ
２５…付勢手段としての押圧バネ
３１…採血管ホルダー
３２…筒状本体
３２ａ…端部
３２ａ…孔
３３…筒部
３４…ストッパー
３４ａ，３４ｂ…第１，第２の係合凹部
３５…内筒
３５ａ〜３５ｄ…リブ
３５ｆ…突起
４１…採血管ホルダー
４２…筒状本体
４２ａ…端面
４３，４４…Ｊ字状バネ部材
４３ｂ，４４ｂ…内側面
４６…真空採血針
５１…採血管ホルダー
５２…筒状本体
５２ａ…端面
５２ｂ…孔
５３…保持部材
５３ａ…基端部
５３ｂ…弾性爪
５４…着脱操作部材
６１…弾性保持部材
６１ａ，６１ｂ…挟持部
６１ｃ，６１ｄ…連結部
６１ｆ，６１ｇ…溝
６１ｈ…ストッパー
６２…着脱操作部材
【図１】
0003838770.tif 000002
【図２】
0003838770.tif 000003
【図３】
0003838770.tif 000004
【図４】
0003838770.tif 000005
【図５】
0003838770.tif 000006
【図６】
0003838770.tif 000007
【図７】
0003838770.tif 000008
【図８】
0003838770.tif 000009
【図９】
0003838770.tif 000010
【図１０】
0003838770.tif 000011
【図１１】
0003838770.tif 000012
【図１２】
0003838770.tif 000013
【図１３】
0003838770.tif 000014
【図１４】
0003838770.tif 000015
【図１５】
0003838770.tif 000016
【図１６】
0003838770.tif 000017
【図１７】
0003838770.tif 000018
【図１８】
0003838770.tif 000019
【図１９】
0003838770.tif 000020
【図２０】
0003838770.tif 000021
【図２１】
0003838770.tif 000022
【図２２】
0003838770.tif 000023
【図２３】
0003838770.tif 000024
【図２４】
0003838770.tif 000025
【図２５】
0003838770.tif 000026
【図２６】
0003838770.tif 000027
【図２７】
0003838770.tif 000028
【図２８】
0003838770.tif 000029
【図２９】
0003838770.tif 000030